(57)【要約】【課題】焼却による排ガスのダイオキシンや有害ガス等を分解せしめ、環境にとって無害な排ガスを排出できるようにする。【解決手段】焼却炉は、炉内の排ガスを循環させるための排ガス循環用パイプ２０ａ，２０ｄ、２１ａ，２１ｃと、この排ガス循環用パイプに蒸気／エアを吹き込むための配管２０ｂ，２０ｃ，２０ｅ，２１ｂ，２１ｄと、図示しないプロワ等の送風手段／蒸気の供給手段とによる排ガス循環システムを備えている。焼却物の燃焼によって生じる排ガスは、排ガス循環システムによって炉内を循環しながら最終的に燃焼部下部１８の下方へ送られて煙道１９に進む。このときコークス等の燃焼中の燃料の堆積部を通過することにより、燃料の燃焼熱による高温の環境下で十分な熱アタックを受けてダイオキシン等の有害成分が分解される。【選択図】　　　　図１
2004144426.tif 000002
【特許請求の範囲】
【請求項１】
燃料を用いて焼却対象物を焼却せしめるようにした焼却炉において、該焼却炉は、焼却物から発生する排ガスを循環させながら、燃料が燃焼する燃焼部を通過せしめて下方に排出させるための排ガス循環システムを備え、該排ガス循環システムの作用によって、排ガスを循環させ、さらに直接に燃焼中の燃料に接触させることにより、燃料の燃焼熱によって前記排ガスの有害成分を分解することを特徴とする焼却炉。
【請求項２】
請求項１に記載の焼却炉において、前記排ガス循環システムは、前記焼却炉内部の排ガスを循環させるための複数の循環用パイプと、該循環用パイプに対して送風を行うための送風手段とを有し、該循環用パイプ及び該送風手段は、前記焼却炉内部の排ガスを所定位置で吸引し、該吸引位置の下方の焼却炉内空間に吸引した排ガスを戻すように構成されていることを特徴とする焼却炉。
【請求項３】
請求項２に記載の焼却炉において、前記循環用パイプにおける焼却炉の炉体への接続部は、前記焼却炉内部へ排ガスを戻す側において、前記炉体に対して水平または下方を向いて送風が行われるように構成されていることを特徴とする焼却炉。
【請求項４】
請求項２または３に記載の焼却炉において、前記排ガス循環システムは、炉内の最上部近傍に排ガスの吸引口を有し、前記燃焼部の炉内上部に排ガスの戻し口を有する１または複数の上部循環用パイプと、前記燃焼部の炉内上部に排ガスの吸引口を有し、前記燃焼部に排ガスの戻し口を有する１または複数の下部循環用パイプとを備え、前記送風手段は、各前記上部及び下部循環用パイプに対して共通または個別に設けられていることを特徴とする焼却炉。
【請求項５】
請求項４に記載の焼却炉において、前記下部循環用パイプの排ガスの吸引口は、前記上部循環用パイプの排ガスの戻し口より上方に配設されていることを特徴とする焼却炉。
【請求項６】
請求項２ないし５のいずれか１に記載の焼却炉において、各前記循環用パイプのいずれかまたは複数に対して蒸気を導入することにより、排ガス中のタール分の分解を促進させることを特徴とする焼却炉。
【請求項７】
請求項１ないし６のいずれか１に記載の焼却炉において、前記燃焼部の炉内空間に対して、排ガスを攪拌するためのエアを送風するための攪拌用エア送風手段を有することを特徴とする焼却炉。
【請求項８】
請求項２ないし７のいずれか１に記載の焼却炉において、各前記循環用パイプは、該パイプの軸方向が前記焼却炉の中心軸から変位した方向に取り付けられていることを特徴とする焼却炉。
【請求項９】
請求項１ないし８のいずれか１に記載の焼却炉において、堆積させる燃料を支持するロート型の受け皿を有し、該受け皿は、スラグ化された焼却残滓を下方へ排出させる１または複数の貫通孔を備えることを特徴とする焼却炉。
【請求項１０】
請求項９に記載の焼却炉において、前記受け皿の貫通孔を介して落下した溶融スラグを受け止めるスラグ溜まり皿と、該スラグ溜まり皿に一時的に溜められたスラグを排出させるための１または複数のスラグ排出路とが設けられていることを特徴とする焼却炉。
【請求項１１】
請求項９または１０に記載の焼却炉において、前記燃焼部における前記受け皿の上方の路壁に、排ガスを排出するための１または複数の排出路を備えたことを特徴とする焼却炉。
【請求項１２】
請求項９ないし１１のいずれか１に記載の焼却炉において、前記受け皿に、排ガスを排気するための１または複数の排出路が備えられていることを特徴とする焼却炉。
【請求項１３】
請求項１１または１２に記載の焼却炉において、前記排ガスを排出するための排出路に対し、炉内の温度を調整するための送風を行う１または複数の送風管を備えたことを特徴とする焼却炉。
【請求項１４】
請求項９ないし１３のいずれか１に記載の焼却炉において、前記受け皿の下部に、受け皿及びスラグの流路を保温するための手段を備えたことを特徴とする焼却炉。
【発明の詳細な説明】
【０００１】
【発明の属する技術分野】
本発明は、焼却炉、より詳細には、高温の雰囲気下で排ガスを下方に逆流して循環させることによって排ガスの有害成分を分解せしめ、環境にとって無害な排ガスを排出できるようにした排ガス逆流式の焼却炉に関する。
【０００２】
【従来の技術】
産業廃棄物並びに一般廃棄物等のごみを焼却する焼却炉において、ダイオキシンの生成が問題となっている。また環境対策への一層の徹底化によって、地球環境に負荷を与える、例えば、塩素系ガスや揮発性の有機物質等の各種有害物質の排出に関する規制が強化されている。
【０００３】
従来の一般の焼却炉は、通常は重油を燃料として空気を供給しながら燃焼させることによってゴミや産業廃棄物の焼却処理を行っており、このときの焼却炉内部の温度は８００℃前後に制御される。しかしながらこのような条件においてもダイオキシンの発生を完全に抑えることはできず、また、塩素系ガス等の有害ガス等の発生も完全に抑えることはできなかった。
【０００４】
ごく一般的な焼却炉において、その焼却炉で焼却物を焼却することにより生成された排ガスは、通常、炉の内部を上昇して該焼却炉上部に備えられた煙突から放出される。あるいは、可燃ガスやチャーなどの未燃分を含む排ガスを二次燃焼室に送って燃焼させることによって、燃焼排ガスを大気に放出するような流動式ガス化焼却設備もある。
【０００５】
上記のような構成の焼却炉においては、例えば、排ガスの放出部分にバグフィルタ等を配することによって、煤塵や飛灰等はある程度除去できるが、排ガスに含まれるダイオキシンやその他の有害ガス成分を完全に捕捉あるいは除去することは難しい。
【０００６】
【発明が解決しようとする課題】
本発明は上述のごときの実情に鑑みてなされたもので、高温の雰囲気下で排ガスを下方に逆流させて循環することによって、該排ガスのダイオキシンや有害ガス等を分解せしめ、環境にとって無害な排ガスを排出できるようにした焼却炉を提供することを目的とする。
【０００７】
【課題を解決するための手段】
請求項１の発明は、燃料を用いて焼却対象物を焼却せしめるようにした焼却炉において、該焼却炉は、焼却物から発生する排ガスを循環させながら、燃料が燃焼する燃焼部を通過せしめて下方に排出させるための排ガス循環システムを備え、該排ガス循環システムの作用によって、排ガスを循環させ、さらに直接に燃焼中の燃料に接触させることにより、燃料の燃焼熱によって前記排ガスの有害成分を分解することを特徴としたものである。
【０００８】
請求項２の発明は、請求項１に記載の焼却炉において、前記排ガス循環システムは、前記焼却炉内部の排ガスを循環させるための複数の循環用パイプと、該循環用パイプに対して送風を行うための送風手段とを有し、該循環用パイプ及び該送風手段は、前記焼却炉内部の排ガスを所定位置で吸引し、該吸引位置の下方の焼却炉内空間に吸引した排ガスを戻すように構成されていることを特徴したものである。
【０００９】
請求項３の発明は、請求項２に記載の焼却炉において、前記循環用パイプにおける焼却炉の炉体への接続部は、前記焼却炉内部へ排ガスを戻す側において、前記炉体に対して水平または下方を向いて送風が行われるように構成されていることを特徴としたものである。
【００１０】
請求項４の発明は、請求項２または３に記載の焼却炉において、前記排ガス循環システムは、炉内の最上部近傍に排ガスの吸引口を有し、前記燃焼部の炉内上部に排ガスの戻し口を有する１または複数の上部循環用パイプと、前記燃焼部の炉内上部に排ガスの吸引口を有し、前記燃焼部に排ガスの戻し口を有する１または複数の下部循環用パイプとを備え、前記送風手段は、各前記上部及び下部循環用パイプに対して共通または個別に設けられていることを特徴としたものである。
【００１１】
請求項５の発明は、請求項４に記載の焼却炉において、前記下部循環用パイプの排ガスの吸引口は、前記上部循環用パイプの排ガスの戻し口より上方に配設されていることを特徴としたものである。
【００１２】
請求項６の発明は、請求項２ないし５のいずれか１に記載の焼却炉において、各前記循環用パイプのいずれかまたは複数に対して蒸気を導入することにより、排ガス中のタール分の分解を促進させることを特徴としたものである。
【００１３】
請求項７の発明は、請求項１ないし６のいずれか１に記載の焼却炉において、前記燃焼部の炉内空間に対して、排ガスを攪拌するためのエアを送風するための攪拌用エア送風手段を有することを特徴としたものである。
【００１４】
請求項８の発明は、請求項２ないし７のいずれか１に記載の焼却炉において、各前記循環用パイプは、該パイプの軸方向が前記焼却炉の中心軸から変位した方向に取り付けられていることを特徴としたものである。
【００１５】
請求項９の発明は、請求項１ないし８のいずれか１に記載の焼却炉において、堆積させる燃料を支持するロート型の受け皿を有し、該受け皿は、スラグ化された焼却残滓を下方へ排出させる１または複数の貫通孔を備えることを特徴としたものである。
【００１６】
請求項１０の発明は、請求項９に記載の焼却炉において、前記受け皿の貫通孔を介して落下した溶融スラグを受け止めるスラグ溜まり皿と、該スラグ溜まり皿に一時的に溜められたスラグを排出させるための１または複数のスラグ排出路とが設けられていることを特徴としたものである。
【００１７】
請求項１１の発明は、請求項９または１０に記載の焼却炉において、前記燃焼部における前記受け皿の上方の路壁に、排ガスを排出するための１または複数の排出路を備えたことを特徴としたものである。
【００１８】
請求項１２の発明は、請求項９ないし１１のいずれか１に記載の焼却炉において、前記受け皿に、排ガスを排気するための１または複数の排出路が備えられていることを特徴としたものである。
【００１９】
請求項１３の発明は、請求項１１または１２に記載の焼却炉において、前記排ガスを排出するための排出路に対し、炉内の温度を調整するための送風を行う１または複数の送風管を備えたことを特徴としたものである。
【００２０】
請求項１４の発明は、請求項９ないし１３のいずれか１に記載の焼却炉において、前記受け皿の下部に、受け皿及びスラグの流路を保温するための手段を備えたことを特徴としたものである。
【００２１】
【発明の実施の形態】
以下に、本発明の焼却炉の実施例を添付された図面を参照して具体的に説明する。なお、実施例を説明するための全図において、同一の要素には同じ符号を付け、その繰り返しの説明は省略する。
【００２２】
図１は、本発明による焼却炉の一実施例を説明するための要部断面図で、図２はその側面概略図である。図１及び図２において、１０は焼却炉（以下単に“炉”と記載することもある）、１１は焼却物投入口、１２ａ，１２ｂは炉体前室部、１３ａ，１３ｂは炉体前室部回転蓋、１４は安全弁取り付け座、１５は炉体最上部、１６は炉体中間部、１７は燃焼部上部、１８は燃焼部下部、１９は煙道、２０ａ，２０ｄは上部排ガス循環用パイプ、２０ｂ，２０ｅは上部排ガス循環用パイプの上部に取り付けた蒸気／エア吹き込み配管、２０ｃは上部排ガス循環用パイプの下部に取り付けたエア吹き込み用配管、２１ａ、２１ｃは下部排ガス循環用パイプ、２１ｂ，２１ｄは下部排ガス循環用パイプの下部に取り付けたエア吹き込み管、２２は燃料投入口、２３は燃焼部上部へのエア吹き込み管、２４は受け皿、２４ｐは受け皿の貫通孔、２５は熱煤室、２６ａ，２６ｂはスラグ排出路、２７は受け皿上部排気管、２８は受け皿中間部排気管、２９は炉内温度調整用送風管、３０はスラグたまり皿、３１は下部排ガス循環用パイプ接続路、３２は燃焼部排ガス排出路、３３は燃焼部下部排ガス排出路、３４は冷却水入口、３５は冷却水出口である。
【００２３】
本実施例の焼却炉１０は、高温の雰囲気下で排ガスを循環させながら燃料の燃焼部の下方に送り出すことによって、該排ガスのダイオキシンや有害ガス等を分解せしめ、環境にとって無害な排ガスを排出できるようにしたものである。本実施例の焼却炉は、排ガスを循環させるための排ガス循環用パイプと、この排ガス循環用パイプに蒸気／エアを吹き込むための配管と、ブロワ等の送風手段とによる排ガス循環システムを備えている。本実施例では、排ガス循環用パイプとして、二本の上部排ガス循環用パイプ２０ａ，２０ｄと、二本の下部排ガス循環用パイプ２１ａ，２１ｃとを備えている。上記排ガス循環システムの詳細は後述する。
【００２４】
炉体はキャスタ（耐火材），断熱材，及び耐火煉瓦を用いて作成され、また上部排ガス循環用パイプ２０ａ，２０ｄはキャスタを用いて、さらに下部排ガス循環用パイプ２１ａ，２１ｃは、キャスタと断熱材とにより構成されている。
【００２５】
焼却物の焼却用燃料としては、コークスを好適に用いることができる。コークスを用いることにより、燃焼時に炉内の燃焼部が１７００℃から１８００℃の高温に達し、これにより排ガスが高温の環境下で十分な熱アタックを受けてダイオキシン等の有害成分を高効率で分解することができる。
【００２６】
ゴミ等の焼却物の燃焼によって生じる排ガスは、排ガス循環システムによって炉内を循環しながら最終的に燃焼部下部１８の下方へ送られて煙道１９に進む。このとき排ガスは相当の滞留時間で高温の炉内を循環し、さらにコークス等の燃焼中の燃料の堆積部を通過することにより、燃料の燃焼熱による高温の環境下で十分な熱アタックを受けてダイオキシン等の有害成分が分解されることになる。従って、焼却炉１０から排出される排ガスを環境に負荷をかけない安全なものとすることができる。また、炉内に蒸気を吹き込むことによって排ガスに含まれるタール分の分解を促進することができる。
【００２７】
焼却炉１０に対する廃棄物の投入は焼却物投入口１１から行う。また燃料投入口２２からは、コークス等の燃料が投入される。燃料投入口２２には、図示しないコークス供給装置を取り付けることもできる。例えば、コークス供給装置は、燃料とするコークスを供給するための一時ストックとなるホッパーとホッパーから落ちたコークスを炉内に供給する供給管により構成することができる。このときにホッパーからの炉内へのコークスの供給は、ホッパー下部に備えたダンパーを手動で開閉することによって適宜行うようにしてもよく、また、スクリューフィード式の自動供給装置や所定のシーケンスで自動的にダンパーを開閉する装置等公知の自動供給手段を用いることができる。
【００２８】
投入したコークスは、受け皿２４から燃焼部上部１７に至る部分に堆積させる。なお、本明細書では、コークスの燃焼部を燃焼部上部１７と燃焼部下部１８とに分けて説明し、さらに燃焼部上部１７の更に上方の炉内空間を、炉体最上部１５と炉体中間部１６とに分けて説明するが、特にこれらの間に隔壁や開閉扉が設けられているわけではなく、一体の炉内空間を形成している。
【００２９】
炉体上部には、２つの炉体前室部１２ａ，１２ｂが設けられている。最上部の炉体前室部１２ａの上部開口が焼却物投入口１１として機能する。各炉体前室部１２ａ，１２ｂには、回転することによって焼却物投入口１１と焼却炉の内部空間とを遮蔽／開放する炉体前室部回転蓋１３ａ，１３ｂがそれぞれ備えられている。各炉体前室部１２ａ，１２ｂには図示しない送風機によってエアが送りこまれ、炉体前室部１２ａ，１２ｂにおいて陽圧を保つ。これによって、廃棄物投入時において炉内の排ガスが外部に流出拡散することを防止する。また、冷却水入口３４か冷却水を導入することにより、各炉体前室部の壁部を冷却する。
【００３０】
円筒状の炉体内部は、燃料投入口２２のやや下方部分に、その上方の炉体最上部１５及び炉体中間部１６よりも内径が小さい煙突上の燃焼部（燃焼部上部１７、燃焼部下部１８）が設けられている。燃料投入口２２から投入された燃料は、炉内を落下して燃焼部下部１８の下方に配された受け皿２４上に堆積して燃焼せしめられ、焼却物投入口１１から投入された廃棄物等の焼却物を焼却する。燃焼に際しては、各排ガス循環用パイプ２０ａ，２０ｄ，２１ａ，２１ｃから、焼却炉１０の内部を水平もしくは下方に向けて強制的に空気が送風されるようになっている。
【００３１】
上述のように燃焼部（燃焼部上部１７、燃焼部下部１８）において、供給された燃料は受け皿２４にて支持される。燃焼による廃棄物の残滓は、燃焼中のコークスの堆積部を溶融しながら下方に流動し、溶融スラグとなって受け皿２４に至る。
【００３２】
受け皿２４には、溶融スラグをさらに下方へ排出するための貫通孔２４ｐが設けられていて、受け皿２４に溜まった溶融スラグは、貫通孔２４ｐを通って下方へ排出され、スラグ溜まり皿３０に溜まり、さらにスラグ排出路２６ａ，２６ｂを通過して外部に排出される。
【００３３】
受け皿２４の貫通孔２４ｐを通って、スラグ溜まり皿３０に至るスラグ流路の周囲には、熱煤室２５が設けられている。熱煤室２５は、焼却炉の運転が停止して火がおちても、２〜３日は１３５０℃から１４００℃の温度を保つことができ、このため、炉内に生じて滞留しているスラグを常に溶融状態に保つことができる。
【００３４】
スラグ排出路２６ａ，２６ｂから炉外に排出された溶融スラグは、例えば図示しないスラグ冷却装置に送られて、冷却水槽で冷却されることにより粒状の水砕スラグとなる。このような水砕スラグは、骨材等の各種用途に再利用することができる。
【００３５】
また、燃焼部下部１８には、後述する排ガス循環システムによって循環される炉内排気を送風エアとともに炉内に給気するための下部排ガス循環用パイプを接続する下部排ガス循環用パイプ接続路３１と、燃料堆積部を通過して熱処理された排ガスを排出するための燃焼部排ガス排出路３２が配設されている。燃焼部排ガス排出路３２は、排ガスを炉の外部に排出するための煙道１９に連通している。
【００３６】
また、受け皿２４の周囲には、それぞれ複数の受け皿上部排気管２７、及び受け皿中間部排気管２８が配設されていてそれぞれ煙道１９に連通している。上記の受け皿上部排気管２７は、受け皿２４の上部で水平方向に放射状に配設され、また受け皿中間部排気管２８は、受け皿上部排気管２７の開口の下方にその開口を有し、各排気管２８は、斜め下方に向かって放射状に配設されている。これら各受け皿上部排気管２７，及び受け皿中間部排気管２８は、煙道１９に連通し、受け皿２４における排ガスを炉の外部に排出する。
【００３７】
煙道１９における排ガスの排出方向の先端部には、例えば図示しないバグフィルタが備えられ、排ガスに含まれる煤塵を捕捉して環境中に排出されないようにする。また、排ガスを冷却する冷却塔を備えるようにしてもよい。バグフィルタで捕捉された飛灰は、安定化処理を行ったあとに例えば埋め立て等に供せられる。
【００３８】
次に排ガス循環システムについて説明する。上述のように、本実施例では、２本の上部排ガス循環用パイプ２０ａ，２０ｄと、２本の下部排ガス循環用パイプ２１ａ，２１ｃとが設けられ、これらを通して排ガスが循環しながら燃焼部に送られる。これのシステムにより、炉内の高温雰囲気中を排ガスが循環することによって有害成分の分解が進行するとともに、最終的に直接にコークス等の燃料の燃焼部を通過して下方へ排気されるために、排ガスは充分な熱アタックを受けてその有害成分が分解される。
【００３９】
２本の上部排ガス循環用パイプ２０ａ，２０ｄは、それぞれ焼却炉１０の内部空間における最上部である炉体最上部１５と、燃焼部上方の炉体中間部１６とを炉体外部で連通するように配置される。上部排ガス循環用パイプ２０ａ，２０ｄは、炉体中間部１６において水平または下方を向くように取り付けられている。なお本実施例では水平に対して１５°下方に向かって取り付けられている。
【００４０】
また各上部排ガス循環用パイプ２０ａの下方部分にはエア吹き込み用配管２０ｃが連結され、ブロワ等の送風装置が接続される。同様に上部排ガス用循環パイプ２０ｄに対しても図示しないエア吹き込み管が連結され、ブロワ等の送風装置が接続される。また上部排ガス循環用パイプ２０ａ，２０ｄの上方において、蒸気／エア吹き込み配管２０ｂ，２０ｅが取り付けられ、ブロワ等の送風装置が接続されてエアが送風されるか、もしくは蒸気が導入される。例えば、蒸気を導入することによって、上述したように排ガスに含まれるタールの分解を促進することができる。また、エアを吹き込むようにすれば、炉内の排ガスの循環をさらに促進することができる。
【００４１】
上記のエア吹き込み用配管２０ｃ、及び蒸気／エア吹き込み配管２０ｂ，２０ｅは、上部排ガス循環用パイプ２０ａ，２０ｄの内部を下方に向かって送風（蒸気の噴出）が行われるような角度で取り付けられている。このような構成によって、炉体最上部１５に上昇した排ガスを吸気して、炉体中間部１６に戻すことができる。
【００４２】
２本の下部排ガス循環用パイプ２１ａ，２１ｃは、それぞれ焼却炉１０の内部空間における炉体中間部１６と燃焼部下部１８とを炉体外部で連通するように配置される。このときに、炉体中間部１６における上部排ガス循環用パイプ２０ａ，２０ｄと下部排ガス循環用パイプ２１ａ，２１ｃとの配設位置は、上部排ガス循環用パイプ２０ａ，２０ｄの配設位置の方が下方となるように構成されている。また下部排ガス循環用パイプ２１ａ，２１ｃは、燃焼部下部１８において水平または下方を向くように取り付けられ、その排ガス循環路は、上述の下部排ガス循環用パイプ接続路３１を介して炉内の燃焼部下部１８に開口している。本実施例では、下部排ガス循環用パイプ２１ａ，２１ｃは、水平に対して５°下方に向かって燃焼部下部１８に対して取り付けられている。
【００４３】
また各下部排ガス循環用パイプ２１ａ，２１ｃには、エア吹き込み管２１ｂ，２１ｄがその下方部分に接続され、エア吹き込み管２１ｂ、２１ｄにはブロワ等の送風手段が設けられる。この送風手段は、上述の上部排ガス循環用パイプ２０ａ，２０ｄ用の送風手段と共通に用いるようにしてもよい。エア吹き込み管２１ｂ、２１ｄは、下部排ガス循環用パイプ２１ａ，２１ｃの内部を下方に向かって送風がなされるように配設されている。このような構成によって、炉体中間部１６から排ガスを吸気して、燃焼部下部１８に戻すことにより、熱による有害物分解効果を高めることができる。
【００４４】
また、燃焼部上部１７には、エアを吹き込むためのエア吹き込み管２３が設けられていて、ブロワコンプレッサ等の送風手段によってエアが送風される。エア吹き込み管２３は、燃焼部上部１７に対して４方向からエアが吹き込むように配設されている。
【００４５】
以上の送風システムによって、燃焼部上方の空間における廃棄物の燃焼排ガスを効果的に補集し、再度燃焼部（燃焼部上部１７、燃焼部下部１８）に送り込むことができるとともに、燃焼部におけるガスの攪拌を促進することができ、これによって炉内の排ガスの熱処理・無害化を高い信頼性で実行することができる。
【００４６】
図３は、上記実施例の焼却炉の上面概略図で、図中、３６はセンサ取り付け座、３７は中和剤投入口である。センサ取り付け座３６には、温度検出装置のセンサ、もしくは圧力検出装置のセンサが取り付けられ、該センサによって炉内の温度管理のための炉内温度情報、あるいは圧力管理のための圧力情報を得る。また、中和剤投入口３７からは、石灰を投入し、塩化ビニール等の焼却物を焼却することによって生じる塩素を中和することができる。すなわち、酸化カルシウム（もしくは水酸化カルシウム）と塩素とを反応させて塩化カルシウムとすることにより、排ガスの無害化をより推進せしめる。
【００４７】
２カ所の安全弁取り付け座１４には、安全弁が取り付けられる。安全弁は、炉内の圧力が過度に上昇した場合に、弁を開放して圧力を低下させる安全装置として機能する。
【００４８】
図４は、図１のＡ部の水平断面概略図で、図５は、図１における受け皿周辺の部分拡大概略図である。受け皿２４から貫通孔２４ｐを介して落下した溶融スラグは、スラグたまり皿３０で受け止められて左右に分かれ、２つのスラグ排出路２６ａ、２６ｂのそれぞれから排出される。
【００４９】
図６は、図１のＢ部の水平断面概略図である。また図７は、図１の燃焼部下部１８周辺の部分拡大概略図で、側断面概略図を図７（Ａ）に、図７（Ａ）のＤ部の水平断面概略図を図７（Ｂ）に、図７（Ａ）のＥ部の水平断面概略図を図７（Ｃ）に、図７（Ａ）のＦ部の水平断面概略図を図７（Ｃ）に示すものである。
【００５０】
図６に示すように、下部排ガス循環用パイプ２１ａ，２１ｃは、焼却炉１０の水平断面における中心から変位した方向に向かって（すなわち、炉の円筒中心から外れた方向に向かって）配設されている。これらの下部排ガス循環用パイプ２１ａ，２１ｃの配置によって、燃焼部（燃焼部上部１７，燃焼部下部１８）におけるガスの攪拌を促進し、燃焼部で発生した排ガスが滞留することなく、燃焼部下部１８の下方に向けて該排ガスを効率的に送ることができる。
【００５１】
図７に示すように、燃焼部下部１８に対しては、下部排ガス循環用パイプ２１ａ，２１ｃに各々連通するふたつの下部排ガス循環用パイプ接続路３１と、燃焼部において無害化された排ガスを煙道１９に送り込むための６つの燃焼部排ガス排出路３２と、同じく燃焼部において排ガスを煙道１９に送り込むための４つの燃焼部下部排ガス排出路３３が設けられている。各排ガス排出路口３２，３３は、煙道１９に連通している。
【００５２】
図８は、図１のＣ部の水平断面概略図である。また図９は、図１の燃焼部上部１７周辺の部分拡大概略図で、側断面概略図を図９（Ａ）に、図９（Ａ）のＧの水平断面概略図を図９（Ｂ）に示すものである。図９に示すように、燃焼部上部１７に対して、エア吹き込み管２３が２方向から取り付けられている。これらエア吹き込み管２３は、炉体の円筒中心から外れた方向に向かってエアが吹き込まれるように配設されている。
【００５３】
なお、上部排ガス循環用パイプ２０ａ，２０ｄも、炉体上部の吸気側と炉体下部の排気側の両方において、上記下部排ガス循環用パイプ２１ａ，２１ｃと同様に、炉体の円筒中心から外れた方向に向かって配設され、炉内の排ガスの吸引及び炉内への排気を効率的に行うことができる。
【００５４】
以上、本発明の焼却炉における具体的な実施例を説明したが、本発明は上記実施例に限定されることなく、請求項の範囲を逸脱しない範囲で種々の応用、変更が可能であることはいうまでもない。
【００５５】
【発明の効果】
以上の説明から明らかなように、本発明によれば、燃焼物によって生じた排ガスを循環させて滞留時間を長くし、最終的に燃料の燃焼部を通過させて下方に排出させることにより、該排ガスへの熱処理を効果的に実行し、これによって該排ガスに含まれるダイオキシンや、塩素系ガス、窒素酸化物等の有害成分を分解せしめ、環境に無害な排ガスを排出できるようにすることができる。このときにゴミ等の焼却用の燃料としてコークスを用いることにより燃焼時に炉内が１７００℃から１８００℃の高温に達するようにすることができ、これによって排ガスの熱処理・無害化を信頼性をもって実行することができる。また送風配管の取り付け配置は、炉内にガスが滞留することなく、排ガスの捕集及び燃焼部における熱処理を効率的に実行できるような構成となっている。
【図面の簡単な説明】
【図１】本発明による焼却炉の一実施例を説明するための図で、焼却炉の要部断面図である。
【図２】本発明による焼却炉の一実施例を説明するための図で、焼却炉の側面概略図である。
【図３】本発明による焼却炉の一実施例を説明するための図で、焼却炉の上面概略図である。
【図４】図１のＡ部の水平断面概略図である。
【図５】図１における受け皿周辺の部分拡大概略図である。
【図６】図１のＢ部の水平断面概略図である。
【図７】図１の燃焼部下部周辺の部分拡大概略図である。
【図８】図１のＣ部の水平断面概略図である。
【図９】図１の燃焼部上部周辺の部分拡大概略図である。
【符号の説明】
１０…焼却炉、１１…焼却物投入口、１２ａ，１２ｂ…炉体前室部、１３ａ，１３ｂ…炉体前室部回転蓋、１４…安全弁取り付け座、１５…炉体最上部、１６…炉体中間部、１７…燃焼部上部、１８…燃焼部下部、１９…煙道、２０ａ，２０ｄ…上部排ガス循環用パイプ、２０ｂ，２０ｅ…蒸気／エア吹き込み配管、２０ｃ…エア吹き込み用配管、２１ａ、２１ｃ…下部排ガス循環用パイプ、２１ｂ，２１ｄ…エア吹き込み管、２２…燃料投入口、２３…燃焼部上部へのエア吹き込み管、２４…受け皿、２４ｐ…受け皿の貫通孔、２５…熱煤室、２６ａ，２６ｂ…スラグ排出路、２７…受け皿上部排気管、２８…受け皿中間部排気管、２９…炉内温度調整用送風管、３０…スラグたまり皿、３１…下部排ガス循環用パイプ接続路、３２…燃焼部排ガス排出路、３３は燃焼部下部排ガス排出路、３４…冷却水入口、３５…冷却水出口、３６…センサ取り付け座、３７…中和剤投入口。
【図１】
2004144426.tif 000003
【図２】
2004144426.tif 000004
【図３】
2004144426.tif 000005
【図４】
2004144426.tif 000006
【図５】
2004144426.tif 000007
【図６】
2004144426.tif 000008
【図７】
2004144426.tif 000009
【図８】
2004144426.tif 000010
【図９】
2004144426.tif 000011